(57)【要約】【課題】使用者に火力や調理器の動作状況等の情報を視覚的に提供し、使い勝手の良い加熱調理器を提供すること。【解決手段】熱源を有する調理器本体と、調理器本体の天面を覆い鍋などの被加熱物を載置するトッププレートと、トッププレートの下方に設けられた光源と、熱源の周辺に略同心円状に設けられ光源から出た光を導光し上方へ反射する導光体と光源を少なくとも２個以上備え、熱源の出力や調理器の動作に応じて複数ある導光体を複数ある光源を用いて発光させ、発光面積や光源の色を変化させることにより、熱源の位置のみならず火力等の調理器の動作情報を調理器の使用者に対し与えることができるので、使い勝手の良い商品価値の高い加熱調理器とすることができる。【選択図】図１
2007141652.tif 000002
【特許請求の範囲】
【請求項１】
熱源を有する調理器本体と、前記調理器本体の天面を覆い鍋などの被加熱物を載置するトッププレートと、前記トッププレートの下方に設けられた光源と、前記熱源の周辺に略同心円状に設けられ前記光源から出た光を導光し上方へ反射する導光体を少なくとも２個以上有し、前記熱源の出力に応じて前記導光体の発光面積が変化することを特徴とする加熱調理器。
【請求項２】
被加熱物等の温度を検知する温度検知手段を有し、設定された被加熱物の目標温度と前記温度検知手段により得られた前記被加熱物の温度に応じて前記導光体の発光面積が変化することを特徴とする請求項１に記載の加熱調理器。
【請求項３】
設定された被加熱物の目標加熱時間と被加熱物の加熱時間に応じて前記導光体の発光面積が変化することを特徴とする請求項１に記載の加熱調理器。
【請求項４】
トッププレート等の温度を検知する温度検知手段を有し、設定されたトッププレートの目標温度と前記温度検知手段により得られた前記トッププレートの温度に応じて前記導光体の発光面積が変化することを特徴とする請求項１または２に記載の加熱調理器。
【請求項５】
自動調理機能を有し、前記自動調理機能の推定加熱時間と被加熱物の加熱時間に応じて前記導光体の発光面積が変化することを特徴とする請求項１に記載の加熱調理器。
【請求項６】
光源の色を２種類以上有し、自動調理機能を使用し調理中あるいは終了すると前記光源の色を変化させることを特徴とする請求項５に記載の加熱調理器。
【請求項７】
光源の色を２種類以上有し、設定された加熱モードにより前記光源の色を変化させることを特徴とする請求項１〜６のいずれか１項に記載の加熱調理器。
【請求項８】
光源の色を２種類以上有し、設定された被加熱物の温度が目標温度に到達する。又は加熱中の前記被加熱物の温度と前記目標温度の差に応じて前記光源の色を変化させることを特徴とする請求項２に記載の加熱調理器。
【請求項９】
光源の色を２種類以上有し、設定された被加熱物の目標加熱時間に到達する。又は加熱経過時間と目標加熱時間との差に応じて前記光源の色を変化させることを特徴とする請求項３に記載の加熱調理器。
【請求項１０】
光源の色を２種類以上有し、トッププレートの温度が設定された目標温度に到達する。又は、前記トッププレートと前記目標温度の差に応じて前記光源の色を変化させることを特徴とする請求項４に記載の加熱調理器。
【請求項１１】
導光体が略円周方向に分割又は分断したことを特徴とする、請求項１〜１０のいずれか１項に記載の加熱調理器。
【発明の詳細な説明】
【技術分野】
【０００１】
本発明は、天面下方に配された導光体を有する加熱調理器に関するものである。
【背景技術】
【０００２】
従来、この種の加熱調理器は、導光体が熱源の周辺に略円周上に設けられ、発光面積は不変であった（例えば、特許文献１参照）。
【特許文献１】特許第３６２０５００号公報
【発明の開示】
【発明が解決しようとする課題】
【０００３】
しかしながら、前記従来の構成では、調理器使用者に対する情報は主に熱源の位置を視覚的に明確にするのみで、その他の火力の情報や調理器の動作状況に関する情報に乏しいという課題を有していた。
【０００４】
本発明は、前記従来の課題を解決するもので、使用者に対し熱源の位置のみならず火力等の調理器の動作情報を与えるもので、使い勝手の良い加熱調理器を提供することを目的とする。
【課題を解決するための手段】
【０００５】
前記従来の課題を解決するために、本発明の加熱調理器は、熱源を有する調理器本体と、調理器本体の天面を覆い鍋などの被加熱物を載置するトッププレートと、トッププレートの下方に設けられた光源と、熱源の周辺に略同心円状に設けられ光源から出た光を導光し上方へ反射する導光体を少なくとも２個以上有し、熱源の出力に応じて複数ある導光体を発光させ、発光面積が変化させる構成としたものである。
【０００６】
これによって、熱源の位置のみならず火力等の調理器の動作情報を調理器の使用者に対し与えることができる。
【発明の効果】
【０００７】
本発明の加熱調理器は、使用者に対し火力や調理器の動作状況等の詳細な情報を提供することができ、使い勝手の良い加熱調理器とすることができる。
【発明を実施するための最良の形態】
【０００８】
第１の発明は、熱源を有する調理器本体と、前記調理器本体の天面を覆い鍋などの被加熱物を載置するトッププレートと、前記トッププレートの下方に設けられた光源と、前記熱源の周辺に略同心円状に設けられ前記光源から出た光を導光し上方へ反射する導光体を少なくとも２個以上有し、前記熱源の出力に応じて前記導光体の発光面積が変化することにより、発光面積の違いにより視覚的に明確に熱源の火力の情報を使用者に対して伝達できる。使用者に対し調理器の動作状況等の詳細な情報を提供することができ、使い勝手の良い加熱調理器とすることができる。
【０００９】
第２の発明は、被加熱物等の温度を検知する温度検知手段を有し、設定された被加熱物の目標温度と前記温度検知手段により得られた前記被加熱物の温度に応じて前記導光体の発光面積が変化させることで、設定した目標温度に達するまでのおおよその時間や設定温度と現在の被加熱物の温度との差を視覚的に明確に認識させることができる。これにより、使用者に対し調理器の動作状況等の詳細な情報を提供することができ、使い勝手の良い加熱調理器とすることができる。
【００１０】
第３の発明は、設定された被加熱物の目標加熱時間と被加熱物の加熱時間に応じて前記導光体の発光面積を変化させることで、使用者が設定した目標加熱時間と被加熱物の加熱時間との差を導光体の発光面積の違いにより視覚的に明確に認識させることができる。これにより、使用者に対し動作状況等の詳細な情報を提供することができ、使い勝手の良い加熱調理器とすることができる。
【００１１】
第４の発明は、トッププレート等の温度を検知する温度検知手段を有し、予め設定されたトッププレートの目標温度と前記温度検知手段により得られた前記トッププレートの温度に応じて前記導光体の発光面積が変化させることにより、トッププレートが加熱後に十分冷却されているかという目には見えない情報を視覚的に明確に認識させることができる。これにより、使用者に対し詳細な情報を提供することができ、使い勝手の良いより安全性の高い加熱調理器とすることができる。
【００１２】
第５の発明は、自動調理機能を有し、前記自動調理機能の推定加熱時間と被加熱物の加熱時間に応じて前記導光体の発光面積が変化することで、自動調理終了までのおおよその時間情報を視覚的に明確に認識させることができる。これにより、使用者に対し調理器の動作状況等の詳細な情報を提供することができ、使い勝手の良い加熱調理器とすることができる。
【００１３】
第６の発明は、光源の色を２種類以上有し、自動調理機能を使用し調理中あるいは終了すると前記光源の色を変化させることで、使用者に対し調理器の動作状況等の詳細な情報を視覚的に明確に提供することができ、使い勝手の良い加熱調理器とすることができる。
【００１４】
第７の発明は、光源の色を２種類以上有し、設定された加熱モードにより前記光源の色を変化させることで、使用者に対し調理器の動作状況等の詳細な情報を視覚的に明確に提供することができ、使い勝手の良い加熱調理器とすることができる。
【００１５】
第８の発明は、光源の色を２種類以上有し、設定された被加熱物の温度が目標温度に到達する。又は、被加熱物の温度と前記目標温度との差に応じて前記光源の色を変化させることで、使用者に対し火力や調理器の動作状況等の詳細な情報を視覚的に明確に提供することができ、使い勝手の良い加熱調理器とすることができる。
【００１６】
第９の発明は、光源の色を２種類以上有し、設定された被加熱物の目標加熱時間に到達する。又は加熱経過時間と目標加熱時間との差に応じて前記光源の色を変化させることことで、使用者に対し火力や調理器の動作状況等の詳細な情報を視覚的に明確に提供することができ、使い勝手の良い加熱調理器とすることができる。
【００１７】
第１０の発明は、光源の色を２種類以上有し、トッププレートの温度が設定された目標温度に到達する。又は、前記トッププレートと前記目標温度の差に応じと前記光源の色を変化させることで、使用者に対し視覚的には認識できないトッププレートの温度情報を視覚的に明確に提供することができ、使い勝手の良い、より安全性の高い加熱調理器とすることができる。
【００１８】
第１１の発明は、導光体が略円周方向に分割又は分断した構成とすることで、使用者に対し火力や調理器の動作状況等の詳細な情報を視覚的に明確に提供することができる。かつ、より安価で使い勝手の良い加熱調理器とすることができる。
【００１９】
以下、本発明の実施の形態について、図面を参照しながら説明する。なお、本実施の形態によって本発明が限定されるものではない。
【００２０】
（実施の形態１）
図１は本発明の第１の実施の形態における加熱調理器の詳細図を示すものである。
【００２１】
図１において、熱源１１を有する調理器本体１２と、前記調理器本体１２の天面を覆い鍋などの被加熱物を載置するトッププレート１３と、前記トッププレート１３の下方に設けられた光源１４と、前記熱源の周辺に略同心円状に設けられ前記光源１４から出た光を導光し上方へ反射する導光体１５を少なくとも２個以上有し、前記熱源１１の出力に応じて前記導光体１５の発光面積が変化する構成とする。
【００２２】
以上のように構成された加熱調理器について、以下その動作、作用を説明する。
【００２３】
熱源にガス等の炎を用いた加熱調理器の熱源の出力の大小は、調理中鍋が使用者の視界を妨げ確認しがたい。又磁界を発生し鍋等を加熱する誘導加熱コイルや電気的な抵抗に電流を流すことによりジュール熱を発生させる熱源等を有する加熱調理器の場合、炎が発生しないために熱源の出力の大小を視覚的に確認しがたい。
【００２４】
本実施の形態１においては熱源１１の周辺に光源１４から出た光を導光し上方へと反射する導光体１５を例えば３個有する構成とし、出力の大小を強火、中火、弱火の３種類と定義する。図２は本発明における熱源の出力の大小に対応した導光体１５の発光例の詳細図（全て点灯させた例）を示すものである。熱源の出力が強火の時は、複数ある導光体１５を３つ全て発光させ、中火の時は２つ、弱火の時は１つ発光させる。本発明においては、前記の例のように熱源の出力に応じて、導光体１５の発光面積を変化させることで熱源の出力の大小を視覚的に分かりやすく、加熱調理器使用者に対して表示することができ、使い勝手のよい加熱調理器とすることができる。また、前記の例では出力を３種類に限定したが、３種類以上に詳細に火力を調節できる構成とし、それに対応し導光体を３個以上設けた構成としてもよい。本発明の構成は磁界を発生し鍋等を加熱する誘導加熱コイルや電気的な抵抗に電流を流すことによりジュール熱を発生させる熱源等を有する加熱調理器のみならず、熱源にガス等の炎を用い、トッププレートの上に被加熱物を載置する五徳を設けた構成の加熱調理器に適用しても同様の効果が得られる。
【００２５】
また、複数ある導光体１５の発光のパターンは前記の方法に限らず他の方法を用いてもよい。前記のような構成にすることで、熱源の出力の大小を視覚的に表現し使用者に対して、さらに分かりやすい使い勝手の良い加熱調理器とすることができる。
【００２６】
（実施の形態２）
図１、２は本発明の第２の実施の形態における加熱調理器の詳細図を示すものである。基本的な構成は実施の形態１と同様であるため、構成の違うところを説明する。
【００２７】
図１、２に示すように、被加熱物等の温度を検知する温度検知手段１６を有し、設定された被加熱物の目標温度と前記温度検知手段１６により得られた前記被加熱物の温度に応じて前記導光体の発光面積が変化させる構成とする。
【００２８】
以上のように構成された加熱調理器について、以下その動作、作用を説明する。
【００２９】
温度検知手段１６によって得られた温度をＴ１と定義する。また、調理器の使用者により設定された被加熱物の目標設定温度をＴ２と定義する。さらに、Ｔ１とＴ２の差を△Ｔと定義する（△Ｔ＝Ｔ２−Ｔ１）。熱源１１の周辺に光源１４から出た光を導光し上方へと反射する導光体１５を例えば３個有する構成とし、例えば、△Ｔの温度範囲を決定する閾値群を（−１５、１５、５０）［ｄｅｇ．］と定義し、△Ｔの値が５０以上（△Ｔ≧５０）のときは複数ある導光体１５を１つのみ発光させ、△Ｔの値が１５以上５０未満（１５≦△Ｔ＜５０）の時は、複数ある導光体１５を２つ発光させ、△Ｔの絶対値が±１５未満（｜△Ｔ｜＜１５）の時３つ全てを発光させる。前記のような構成、導光体の発光パターンとすることにより、視覚的には認識することのできない被加熱物の温度と設定した目標温度の差を視覚的に明確に表示し、加熱調理器の使用者に認識させることができるという利点がある。本実施の形態においては、温度検知手段１６によって得られた温度をＴ１と調理器の使用者により設定された被加熱物の目標設定温度をＴ２の前記２つの変数の関数である△Ｔと、３つの温度範囲と３つの閾値を用いて導光体の発光パターンを決定したが、以上のような条件に限らず△Ｔの温度範囲を決定する閾値群（５０、１５、−１５）は他の値を用いても同様の効果が得られる。また、△ＴはＴ１とＴ２の差ではなく、別の関数を用いてもよい。
【００３０】
以上のように、本実施の形態においては、加熱調理器の特徴に応じ様々な条件を用いて調整し導光体１５の発光パターンを変化させることにより、使用者にとってさらに分かりやすい使い勝手の良い加熱調理器とすることができる。
【００３１】
（実施の形態３）
図１、２は本発明の第３の実施の形態における加熱調理器の詳細図を示すものである。基本的な構成は実施の形態１と同様であるため、構成の違うところを説明する。
【００３２】
設定された被加熱物の目標加熱時間をｔ１と定義する。被加熱物の加熱経過時間をｔ２と定義する。さらに、ｔ１とｔ２の差を△ｔと定義する（△ｔ＝ｔ２−ｔ１）。熱源１１の周辺に光源１４から出た光を導光し上方へと反射する導光体１５を例えば３個有する構成とし、例えば、△ｔの範囲を決定する閾値群を（２０、６０、１２０）［ｓｅｃ．］と定義し、△ｔの値が１２０以上（△Ｔ≧１２０）のときは複数ある導光体１５の３つ全てを発光させ、△ｔの値が６０以上１２０未満（６０≦△ｔ＜１２０）の時は、複数ある導光体１５を２つ発光させ、△ｔが２０未満（△ｔ＜２０）の時１つを発光させ、△ｔが０以下（△ｔ≦０）となった時、加熱を停止すると同時に複数ある全ての導光体を消灯させる。前記のような構成、導光体の発光パターンとすることにより、視覚的には認識することのできない被加熱物の目標加熱時間と被加熱物の加熱経過時間の差を視覚的に明確に表示し、加熱調理器の使用者に認識させることができるという利点がある。
【００３３】
また、本実施の形態においては、調理器の使用者により設定された目標加熱時間ｔ１と被加熱物の加熱経過時間ｔ２の前記２つの変数の関数である△ｔと、４つの時間範囲と３つの閾値を用いて導光体の発光パターンを決定したが、以上のような条件に限らず△ｔの温度範囲を決定する閾値群（２０、６０、１２０）は他の値を用いても同様の効果が得られる。また、△ｔはｔ１とｔ２の差ではなく、別の関数を用いてもよい。
【００３４】
以上のように、本実施の形態においては、加熱調理器の特徴に応じ様々な条件を用いて調整し導光体１５の発光パターンを変化させることにより、使用者にとってさらに分かりやすい使い勝手の良い加熱調理器とすることができる。
【００３５】
（実施の形態４）
図１、２は本発明の第４の実施の形態における加熱調理器の詳細図を示すものである。基本的な構成は実施の形態１および２と同様であるため、構成の違うところを説明する。
【００３６】
図１、２に示すように、トッププレート等の温度を検知する温度検知手段１６を有し、予め設定されたトッププレートの目標温度と前記温度検知手段１６により得られたトッププレートの温度に応じて前記導光体の発光面積が変化させる構成とする。
【００３７】
以上のように構成された加熱調理器について、以下その動作、作用を説明する。
【００３８】
調理後前記トッププレートは鍋等の被加熱物からの熱が伝わり比較的高温になっていることが多い。加熱直後のトッププレートは比較的高温で十分冷却された状態で表面の汚れをふき取る等のお手入れをすることが望ましい。トッププレートの表面の温度を視覚的に認識でき、十分冷却されるまでの時間を視覚的に表現できれば使用者は時間を有効に活用することができ、使い勝手のよい加熱調理器とすることができる。
【００３９】
以下に加熱調理器の動作を記す。
【００４０】
温度検知手段１６によって得られたトッププレートの温度をＴ３と定義する。また、予め設定されたトッププレートの目標設定温度をＴ４と定義する。さらに、Ｔ３とＴ４の差を△Ｔ５と定義する（△Ｔ５＝Ｔ３−Ｔ４）。熱源１１の周辺に光源１４から出た光を導光し上方へと反射する導光体１５を３個有する構成とし、例えば、△Ｔ５の温度範囲を決定する閾値群を（０、１５、５０）［ｄｅｇ．］と定義し、△Ｔ５の値が５０以上（△Ｔ５≧５０）のときは複数ある導光体１５を３つ全てを発光させ、△Ｔ５の値が１５以上５０未満（１５≦△Ｔ５＜５０）の時は、複数ある導光体１５を２つ発光させ、△Ｔ５が０以上１５未満（０≦△Ｔ５＜１５）の時は１つ発光させる。△Ｔ５が０未満（△Ｔ５＜０）の時は全て消灯させる。前記のような構成、導光体の発光パターンとすることにより、視覚的には認識することのできないトッププレートの温度と設定した目標温度の差を視覚的に明確に表示し、加熱調理器の使用者に認識させることができるという利点がある。本実施の形態においては、温度検知手段１６によって得られた温度をＴ３と調理器の使用者により設定された被加熱物の目標設定温度Ｔ４の前記２つの変数の関数である△Ｔ５と、４つの温度範囲と３つの閾値を用いて導光体の発光パターンを決定したが、以上のような条件に限らず△Ｔ５の温度範囲を決定する閾値群（０、１５、５０）は他の値を用いても同様の効果が得られる。また、△Ｔ５はＴ３とＴ４の差ではなく、別の関数を用いてもよい。以上のように、加熱調理器の特徴に応じ様々な条件を用いて調整し導光体１５の発光パターンを変化させることにより、使用者にとってさらに分かりやすい使い勝手の良い加熱調理器とすることができる。
【００４１】
（実施の形態５）
図１、２は本発明の第５の実施の形態における加熱調理器の詳細図を示すものである。基本的な構成は実施の形態１と同様であるため、構成の違うところを説明する。
【００４２】
設定された自動調理機能から推定した推定加熱時間をｔ３と定義する。被加熱物の加熱経過時間をｔ２と定義する。さらに、ｔ３とｔ２の差を△ｔ４と定義する（△ｔ４＝ｔ３−ｔ２）。熱源１１の周辺に光源１４から出た光を導光し上方へと反射する導光体１５を例えば３個有する構成とし、例えば、△ｔ４の範囲を決定する閾値群を（２０、６０、１２０）［ｓｅｃ．］と定義し、△ｔ４の値が１２０以上（△ｔ４≧１２０）のときは複数ある導光体１５の３つ全てを発光させ、△ｔ４の値が６０以上１２０未満（６０≦△ｔ４＜１２０）の時は、複数ある導光体１５を２つ発光させ、△ｔ４が２０未満（△ｔ４＜２０）の時１つを発光させ、△ｔ４が０以下（△ｔ４≦０）となった時、加熱を停止すると同時に複数ある全ての導光体を消灯させる。前記のような構成、導光体の発光パターンとすることにより、視覚的には認識することのできない自動調理機能の推定加熱時間と被加熱物の加熱経過時間の差を視覚的に明確に表示し、加熱調理器の使用者に認識させることができるという利点がある。本実施の形態５においては、調理器の使用者により設定された目標加熱時間ｔ３と被加熱物の加熱経過時間ｔ２の前記２つの変数の関数である△ｔ４と、４つの時間範囲と３つの閾値を用いて導光体の発光パターンを決定したが、以上のような条件に限らず△ｔの温度範囲を決定する閾値群（２０、６０、１２０）は他の値を用いても同様の効果が得られる。更に、閾値群（２０、６０、１２０）は定数ではなく、温度検知手段１６によって得られた温度Ｔ１と、自動調理機能によって予め設定された被加熱物の目標設定温度Ｔ２の関数であってもよい。また、△ｔはｔ１とｔ２の差ではなく、ｔ１とｔ２を変数とする別の関数を用いてもよい。自動調理機能とは、自動湯沸し機能、自動炊飯機能、自動おかゆ機能等の機能を指す。以上のように、加熱調理器の特徴に応じ様々な条件を用いて調整し導光体１５の発光パターンを変化させることにより、使用者にとってさらに分かりやすい使い勝手の良い加熱調理器とすることができる。
【００４３】
（実施の形態６）
図１、２は本発明の第６の実施の形態における加熱調理器の詳細図を示すものである。基本的な構成は実施の形態５と同様であるため、構成の違うところを説明する。光源の色を２種類以上有し、自動調理機能を使用し調理中あるいは終了すると前記光源の色を変化させる構成とする。自動調理機能とは、自動湯沸し機能、自動炊飯機能、自動おかゆ機能等の機能を指す。光源の色を赤と緑の２種類とし本発明の第５の実施の形態において複数ある導光体１５を赤で点灯あるいは消灯させ、残りの導光体を緑で点灯あるいは消灯させる構成とする。このような構成とすることで、自動調理機能の推定加熱時間と被加熱物の加熱経過時間の差を視覚的により明確に表示し、加熱調理器の使用者に認識させることができるという利点がある。また、自動調理機能に要する全調理時間に対し残り時間がどの程度かを視覚的に認識できる等の利点がある。上記のような構成とすることで使い勝手のよい加熱調理器とすることができる。上記構成において光源の色は赤、緑の２種類に限らず他の色あるいは３色以上用いる構成としてもよい。更に、光源は点灯させるに限らず点滅させる構成としてもよい。前記構成により、更に使い勝手のよい加熱調理器とすることができる。
【００４４】
（実施の形態７）
図１、２は本発明の第７の実施の形態における加熱調理器の詳細図を示すものである。基本的な構成は実施の形態１から６と同様であるため、構成の違うところを説明する。光源の色を複数有し、設定された加熱モードにより前記光源の色を変化させる構成とする。例えば、光源の色を赤、緑、青の３種類とし複数あるモードを加熱モード、揚げ物加熱モード、自動調理モードの３種類とし、各加熱モードに３つの光源の色を対応させ複数ある導光体１５の一部あるいは全てを点灯、消灯、あるいは点滅させる構成とする。このような構成とすることで、モードの種類を視覚的により明確に表示し、加熱調理器の使用者に認識させることができるという利点がある。上記のような構成とすることで使い勝手のよい加熱調理器とすることができる。また、光源の色および種類は上記構成で限定されるものではない。調理器の加熱モードに応じ他の色や種類の数を増減させても同様の効果がある。
【００４５】
（実施の形態８）
図１、２は本発明の第８の実施の形態における加熱調理器の詳細図を示すものである。基本的な構成は実施の形態２と同様であるため、構成の違うところを説明する。光源の色を２種類以上有し、設定された被加熱物の温度が目標温度に到達する。又は加熱中の前記被加熱物の温度と前記目標温度の差に応じて前記光源の色を変化させる構成とする。例えば、光源の色を赤と緑の２種類とし本発明の第２の実施の形態において複数ある導光体１５を赤で点灯あるいは消灯させ、残りの導光体を緑で点灯あるいは消灯させる構成とする。このような構成とすることで、使用者が設定した被加熱物の目標温度と被加熱物の温度の差を視覚的により明確に表示し、加熱調理器の使用者に認識させることができるという利点がある。また、目標温度に達するまでに必要な温度がどの程度かを視覚的に認識できる等の利点がある。上記のような構成とすることで使い勝手のよい加熱調理器とすることができる。上記構成において光源の色は赤、緑の２種類に限らず他の色あるいは３色以上用いる構成としてもよい。更に、光源は点灯させるに限らず点滅させる構成としてもよい。前記構成により、更に使い勝手のよい加熱調理器とすることができる。
【００４６】
（実施の形態９）
図１、２は本発明の第９の実施の形態における加熱調理器の詳細図を示すものである。基本的な構成は実施の形態３と同様であるため、構成の違うところを説明する。光源の色を２種類以上有し、設定された被加熱物の目標加熱時間に到達する。又は加熱経過時間と目標加熱時間との差に応じて前記光源の色を変化させる構成とする。前記のような構成とすることで視覚的には認識することのできない被加熱物の温度と設定した目標温度の差を視覚的に明確に表示し、加熱調理器の使用者に認識させることができるという利点があり使い勝手の良い加熱調理器とすることができる。
【００４７】
（実施の形態１０）
図１、２は本発明の第１０の実施の形態における加熱調理器の詳細図を示すものである。基本的な構成は実施の形態４と同様であるため、構成の違うところを説明する。
【００４８】
光源の色を２種類以上有し、トッププレートの温度が設定された目標温度に到達する。又は、前記トッププレートと前記目標温度の差に応じて記光源の色を変化させる構成とする。前記のような構成、導光体の発光パターンとすることにより、視覚的には認識することのできないトッププレートの温度と設定した目標温度の差を視覚的に明確に表示し、加熱調理器の使用者に認識させることができるという利点があり、使い勝手のよい加熱調理器とすることができる。
【００４９】
（実施の形態１１）
図３は本発明の第１１の実施の形態における加熱調理器の詳細図を示すものである。基本的な構成は実施の形態４と同様であるため、構成の違うところを説明する。
【００５０】
導光体が略円周方向に分割又は分断した構成とする。導光体の形状を変えるだけではなく、別の構成部品で光を遮光し異なる形状に見えるようにしてもよい。前記のような構成とすることにより、意匠的に優れた使用者に対し火力や調理器の動作状況等の詳細な情報を視覚的に明確に提供することができる。かつ、より安価で使い勝手の良い商品価値の高い加熱調理器とすることができる。
【産業上の利用可能性】
【００５１】
以上のように、本発明にかかる加熱調理器は、使用者に対し火力や調理器の動作状況等の詳細な情報を視覚的に明確に提供することができる。かつ、より安価で使い勝手を良くすることが可能となるので、他の同じような構成の加熱調理機器等の用途にも適用できる。
【図面の簡単な説明】
【００５２】
【図１】本発明の実施の形態１から１０における加熱調理器の詳細図
【図２】本発明の実施の形態１から１０における導光体の発光例の詳細図
【図３】本発明の実施の形態１１における導光体の発光例の詳細図
【符号の説明】
【００５３】
１１  熱源
１２  調理器本体
１３  トッププレート
１４  光源
１５  導光体
１６  温度検知手段
【図１】
2007141652.tif 000003
【図２】
2007141652.tif 000004
【図３】
2007141652.tif 000005